(57)【要約】【課題】開口部の屋外側に上下方向に移動して必要高さ位置に維持し得るプレート状体を設け、濡れ縁、カウンター、庇等として用い得るようにする。【解決手段】多目的用プレート状体１０を、そのプレート状面をほぼ水平にして掃き出し窓等の開口部Ａの屋外側に備える開口部構造であって、前記開口部Ａの両側方に縦向きのガイド手段Ｂを備えており、このガイド手段Ｂで案内される当該プレート状体１０を上下方向に移動する移動手段Ｃと、当該プレート状体１０を所定位置に維持する維持手段Ｄとを備えている開口部構造。【選択図】図２
2008202308.tif 000002
【特許請求の範囲】
【請求項１】
多目的用プレート状体を、そのプレート状面をほぼ水平にして掃き出し窓等の開口部の屋外側に備える開口部構造であって、前記開口部の両側方に縦向きのガイド手段を備えており、このガイド手段で案内される当該プレート状体を上下方向に移動する移動手段と、当該プレート状体を所定位置に維持する維持手段とを備えていることを特徴とする開口部構造。
【請求項２】
前記プレート状体が少なくとも濡れ縁として機能するように備えてあることを特徴とする請求項１に記載の開口部構造。
【請求項３】
前記プレート状体が、前記移動手段に対して、前記開口部のなす面に平行な回動軸線で回動可能に設けてあることを特徴とする請求項１又は請求項２に記載の開口部構造。
【発明の詳細な説明】
【技術分野】
【０００１】
この発明は、掃き出し窓等の外壁に設けられている開口部に、例えば、濡れ縁等の当該開口部に関連して用いられるプレート状体を上下方向に移動可能に備える開口部構造の提供に関する。
【背景技術】
【０００２】
掃き出し窓の屋外側に、当該掃き出し窓から出入りし得るように濡れ縁を設けることがある。
【０００３】
また、居住空間の使い勝手等から和室出窓を設け、この出窓甲板をカウンター代わりに用いることがあった。
【０００４】
また、外壁に備えられる窓の開口上側に庇を設け、雨の降り込みや、遮光などに対応した開口部構造があった。
【０００５】
また、掃き出し窓等の開口部の屋外側に、従来の濡れ縁に代えて、立設される複数の束、該束に締結される複数の大引き、前記束に締結される複数の根がらみから構成される基台上に、複数の床板材が間隔をあけて併設して構成される床板を載置してなる組立型ウッドデッキにおいて、前記束、大引き、根がらみ、床板材として使用される木材は、単一素材からなる単一断面寸法のプレカット材から形成される組立型ウッドデッキが提案されている（例えば、特許文献１）。
【０００６】
また、掃き出し窓等の開口部の屋外側に、床部を支柱で所定高さに保持し、床部の床面を複数のデッキパネル体で形成し、少なくとも一部のデッキパネル体を着脱自在な可動デッキパネル体に形成し、可動デッキパネル体の下部に槽体を配置した多機能デッキが提案されている（例えば、特許文献２）。
【０００７】
【特許文献１】特開２０００−２３４３８２公開公報
【特許文献２】特開２００４−１６９２８４公開公報
【発明の開示】
【発明が解決しようとする課題】
【０００８】
しかしながら、開口部の屋外側に備えられる前記デッキ、濡れ縁、庇等は、固定された状態に設置してあり、その高さを随時、随意に変更して用いうるようにしたものは無く、備え付け後に、その使用態様を、随時、随意に変更して用いることができなかった。
【０００９】
この結果、かかる開口部構造にあっては、デッキや、濡れ縁や、庇等を備えた掃き出し窓等の開口部を備える居住空間として用いざるを得なかった。
【課題を解決するための手段】
【００１０】
この発明は、前記課題を解決するために、多目的用プレート状体を、そのプレート状面をほぼ水平にして掃き出し窓等の開口部の屋外側に備える開口部構造であって、前記開口部の両側方に縦向きのガイド手段を備えており、このガイド手段で案内される当該プレート状体を上下方向に移動する移動手段と、当該プレート状体を所定位置に維持する維持手段とを備えていることを特徴とする開口部構造としてある。
【００１１】
かかる開口部構造にあっては、掃き出し窓等の開口部の屋外側に、ほぼ水平の状態に備えられるプレート状体を、随時、随意に、所定高さ位置に移動し、かつ、要請される高さ位置に当該プレート状体を維持して、例えば、濡れ縁、文机手段、各種のカウンター手段、物干し手段、庇手段等に変更して用いることができる。
【００１２】
また、前記構成に係る開口部構造にあって、前記プレート状体が少なくとも濡れ縁として機能するように備えてある。
【００１３】
また、前記構成に係る開口部構造にあって、前記プレート状体が、前記移動手段に対して、前記開口部のなす面に平行な回動軸線で回動可能に設けてあることを特徴とする開口部構造では、前記プレート状体を濡れ縁等として用いる必要の無い場合にあっては、このプレート状体を壁面等に添わせることで、当該開口部の屋外側にプレート状体によって妨げられない動作空間を構成することができる。
【発明の効果】
【００１４】
掃き出し窓などの開口部の屋外側に、上下方向に移動でき、しかも、必要とされる高さ位置に維持し得るようにプレート状体を設け、当該備え付けプレート状体によって、濡れ縁、カウンター、庇等の各種の機能をもたらすことのできる開口部構造の提供を目的としている。
【発明を実施するための最良の形態】
【００１５】
以下、図１〜図６にもとづいて、この発明を実施するための最良の形態に係る開口部構造について説明する。
【００１６】
なお、ここで図１は当該発明を実施するための最良の形態に係る典型的な開口部構造を屋外側から見て、図２では、縦向きに断面して、図３は、その要部を縦向きに断面して、さらに、図４では、ガイド手段Ｂにプレート状体１０を案内している状態の要部を水平向きに断面して見ている。図５は、典型的なプレート状体１０と、その移動手段Ｃの要部部品をの移動手段Ｃその要部を斜め上方から、さらに、図６では、当該移動手段Ｃ及び維持手段Ｄの要部と、その操作用具を斜め上方から見て示している。
【００１７】
この発明を実施するための最良の形態に係る開口部構造は、多目的用プレート状体１０を、そのプレート状面をほぼ水平にして掃き出し窓等の開口部Ａの屋外側に備える開口部構造であって、前記開口部Ａの両側方に縦向きのガイド手段Ｂを備えており、このガイド手段Ｂで案内される当該プレート状体１０を上下方向に移動する移動手段Ｃと、当該プレート状体１０を所定位置に維持する維持手段Ｄとを備えていることを特徴とする開口部構造としてある。
【００１８】
ここで、開口部Ａの屋外側に備えられるプレート状体１０は、平らな上面を備えるプレート状体１０であり、当該プレート状体１０が濡れ縁Ａａとして機能し、かつ、物干しＡｃ’、カウンターＡｂ、庇Ａｃ等として機能し得るものであれば、いかなる素材によって構成してあっても、いかなる形態に構成してあってもよい。
【００１９】
例えば、木製、金属製、プレスチック製、セラミックス製等の単一素材によって構成してあっても、また、各種素材からなる複合素材や、複数素材の組み合わせによって構成してあってもよい。
【００２０】
また、例えば、各種板材、各種ボード材等の単葉の無垢材、中空材等によって構成してあっても、複数葉の板材、ボード材等の組み付けによって構成してあっても、枠材の上面を板材、ボード材等で覆って構成してあっても、枠材の上面と下面とを板材、ボード材等によって覆って構成してあってもよい。さらに、例えば、各種の金属素材等を用いて、裏面に補強リブ等を備えるパネル状のものとして構成してあってもよい。
【００２１】
このプレート状体１０の備えられる開口部Ａは、掃き出し窓その他の、いかなる形態の窓であってもよく、それぞれの開口部Ａの使い勝手に対応して当該プレート状体１０を備え付け、用いることができる。
【００２２】
また、前記ガイド手段Ｂは、前記プレート状体１０を、ほぼ水平を維持しながら上下方向に案内し得るものであれば、いかなる形態のものであってもよく、当該ガイド手段Ｂを壁Ｗによって構成するようにしてあっても、また、壁Ｗ内または壁Ｗ外に備え付けられて前記プレート体を案内するように構成してあってもよい。
【００２３】
かかるガイド手段Ｂは、これによって案内されるプレート状体１０が、上下方向に平行を維持しながら円滑に移動し得るものであれば、いかなる素材によって構成してあっても、また、いかなる構造に構成してあってもよく、例えば、プレート状体１０の端部、プレート状体１０からの突設部等を都合よく上下方向に案内する溝状体、レール状体、これらの複合体等、いかなる構造に構成してあってもよい。
【００２４】
また、前記プレート状体１０を上下方向に移動する移動手段Ｃは、前記ガイド手段Ｂによって案内される当該プレート状体１０を上方及び下方に移動し得るものであれば、いかなる機構によって構成してあってもよく、例えば、油圧シリンダーのプランジャー類、手動またはモーター駆動される巻き取りホイールに連結されるワイヤその他のロープ類、手動またはモーター駆動されるスプロケットホイールに巻きかけられるチェーン類、手動またはモーター駆動されるピニオンに噛合するラック類等の各種形態の移動手段Ｃを適宜選択的に用いて構成することができる。
【００２５】
また、前記プレート状体１０を所定位置に維持する維持手段Ｄは、移動された当該プレート状体１０を所定位置に停止状態に維持し得るものであれば、いかなる形態に備えてあってもよく、例えば、前記油圧装置、モーター駆動装置等の移動手段Ｃの備える停止機構によって構成してあっても、さらに、各種の掛止手段によって、前記駆動手段または前記駆動伝達手段を掛止状態にするようにしてあってもよい。
【００２６】
かかる開口部構造にあっては、掃き出し窓等の開口部Ａの屋外側に、ほぼ水平の状態に備えられるプレート状体１０を、随時、随意に、所定高さ位置に移動し、かつ、要請される高さ位置に当該プレート状体１０を維持して、例えば、濡れ縁Ａａ、文机Ａｂ’手段、各種のカウンターＡｂ手段、物干しＡｃ’手段、庇Ａｃ手段等に変更して用いることができる。
【００２７】
また、前記構成に係る開口部構造にあって、前記プレート状体１０が少なくとも濡れ縁Ａａとして機能するように備えてある。
【００２８】
また、前記構成に係る開口部構造にあって、前記プレート状体１０が、前記移動手段Ｃに対して、前記開口部Ａのなす面に平行な回動軸線で回動可能に設けてあることを特徴とする開口部構造では、前記プレート状体１０を濡れ縁Ａａ等として用いる必要の無い場合にあっては、このプレート状体１０を壁Ｗ面等に添わせることで、当該開口部Ａの屋外側にプレート状体１０によって妨げられない動作空間を構成することができる。
【００２９】
ついで、図示例に係る開口部構造を具体的に説明する。
【００３０】
この図示例に係る開口部構造は、多目的用プレート状体１０を、そのプレート状面をほぼ水平にして掃き出し窓等の開口部Ａの屋外側に備える開口部構造であって、前記開口部Ａの両側方に縦向きのガイド手段Ｂを備えており、このガイド手段Ｂで案内される当該プレート状体１０を上下方向に移動する移動手段Ｃと、当該プレート状体１０を所定位置に維持する維持手段Ｄとを備えており、しかも、前記プレート状体１０が、前記移動手段Ｃに対して、前記開口部Ａのなす面に平行な回動軸線で回動可能に設けるようにしてある。
【００３１】
この図示例における開口部Ａは、例えば、住宅におけるリビングルームなどに備えられてバルコニー等への出入りに用いられる、いわゆる、掃き出し窓として示してあり、建物基礎５０上に備えられる土台５１に乗せ掛けられている根太５２上に床板５３を張り込んでリビングルーム等の居住空間が構成してある。
【００３２】
かかるリビングルーム等における床面にほぼ面一となるように外壁Ｗに掃き出し窓としての開口部Ａが設けてある。かかる開口部Ａは、床面からの掃き出しに都合のよい形態に下枠５４を備えるように当該開口部Ａの下部側を構成する下枠５４と、この下枠５４の両側から起立されている一対の縦枠５５と、当該縦枠５５の上部間を連結するように備えられる上枠５６とを備えて構成してあり、この開口部Ａを構成する下枠５４と上枠５６とに引き違い戸等の引き戸５８のガイドレールを備えるサッシュ枠５７を設けてある。
【００３３】
かかる開口部Ａの両側方に縦向きにガイド手段Ｂを設け、このガイド手段Ｂにプレート状体１０を当該開口部Ａの屋外側において案内させ得るようにしてある。この図示例にあっては、当該開口部Ａの左右側方にある壁Ｗ部分に、それぞれ溝向きを上下方向に向けて備えられる一対の溝状体１５で当該プレート状体１０を案内するガイド手段Ｂを構成してあり、この溝状体１５における溝が屋外側に開口するように、壁Ｗ内で固定するように、いわゆる埋設状態に設けてある。
【００３４】
このガイド手段Ｂを構成する溝状体１５は、平断面が矩形をなす溝状案内部を備えており、溝底板１５ａから起立されている側板１５ｂの上端部分を、互いに近づく向きに直角に屈曲させて内縁鍔１５ｃとしてある。
【００３５】
また、この溝状体１５は、開口部Ａの屋外側に備えられるプレート状体１０における、移動予定幅、すなわち、当該プレート状体１０に予定される濡れ縁機能、カウンター機能、庇機能等から要請される範囲にわたるように設けられる。
【００３６】
かかるガイド手段Ｂにプレート状体１０を案内する移動手段Ｃは、この図示例にあっては、チェーン２０と当該チェーン２０を掛け回し案内するスプロケットホィール２１と、当該チェーン２０の走行移動手段Ｃと、前記プレート状体１０を当該チェーン２０に連結して前記ガイド手段Ｂをなす溝状体１５を案内するスライダー２３とを備える構成としてある。
【００３７】
かかるプレート状体１０の移動手段Ｃは、前記開口部Ａの両側方にある各ガイド手段Ｂを構成する溝状体１５に、当該溝状体１５における内縁鍔１５ｃによって抜け出さないように、それぞれ摺動可能に納め入れられているスライダー２３の上部側に止着したチェーン２０を当該溝状体１５の上方に備えられている上側スプロケットホィール２１ａを介して、当該溝状体１５の下方に備えられている下側スプロケットホィール２１ｂに案内し、この下側スプロケットホィール２１ｂに掛け回されて上方に案内されたチェーン２０を前記スライダー２３の下部側に止着して、当該チェーン２０の移動によってスライダー２３を溝状体１５に沿って上下方向に移動可能としてある。
【００３８】
この図示例にあっては、開口部Ａの左右側方のそれぞれに備えられる各溝状体１５に案内されるチェーン２０の噛合される各上側スプロケットホィール２１ａを上軸２８に同軸に設け、また、各下側スプロケットホィール２１ｂを下軸２９に同軸に設け、開口部Ａの両側方に備えられる移動手段Ｃが同期して移動し得るようにしてある。
【００３９】
また、このプレート状体１０を案内するガイド手段Ｂを構成する縦向きの溝状体１５は、屋外側に開口している溝側板１５ｂの上端部に内縁鍔１５ｃを備えており、この内縁鍔１５ｃで、当該溝状体１５内に納め入れられたスライダー２３を当該溝状体１５内から抜け出すことなく円滑に上下方向に案内し得る構成としてある。
【００４０】
かかるプレート状体１０を案内するガイド手段Ｂを構成するスライダー２３は、前記溝状体１５内に、がたなく、かつ、上下方向に円滑に摺動し、かつ、プレート状体１０を都合よく保持し得るように、当該溝状体１５の上下方向に長い、断面ほぼ矩形の角棒状に構成してあり、その上部側からほぼ直角に、前記内縁鍔１５ｃ間から外方に向けて突き出すように取付腕部２４を備えた構成としてある。
【００４１】
かかるスライダー２３は、前記チェーン２０の一端を当該スライダー２３の上端部に、また、当該チェーン２０の他端を当該スライダー２３の下端部に適宜の連結具を用いて連結してあり、上側スプロケットホィール２１ａと下側スプロケットホィール２１ｂとの設置位置調整によって、当該スライダー２３が溝状体１５内をチェーン２０によって円滑に上下方向に移動可能に設けてある。
【００４２】
かかるスライダー２３は、ガイド手段Ｂを構成する溝状体１５における内縁鍔１５ｃ間から取付腕部２４が壁Ｗの屋外側に都合よく突き出して、前記プレート状体１０を支承し得る態様に備えていると共に、このプレート状体１０を水平状態に維持する支持金物３０を受けうるように構成してある。
【００４３】
かかるプレート状体１０を案内するガイド手段Ｂ及び当該プレート状体１０の移動をなす移動手段Ｃは、移動手段Ｃを構成するチェーン２０によって前記プレート状体１０が円滑に前記溝状体１５内を上下方向に移動し得るように当該チェーン２０を、各スプロケットホィール２１でテンションをかけた状態に無端状に掛け回し設けて構成してある。
【００４４】
この図示例にあっては、前記溝状体１５から引き出されるチェーン２０が垂直を維持しうる位置に上側スプロケットホィール２１ａと下側スプロケットホィール２１ｂとが設けてあり、溝状体１５内に納め入れられているスライダー２３を円滑に上下方向に案内し得るようにしてあり、開口部Ａの両側方にある各移動手段Ｃが上軸２８に同軸に備えられている前記の左右の上側スプロケットホィール２１ａ、及び、下軸２９に同軸に備えられている左右の下側スプロケットホィール２１ｂによって等速、等幅に移動し得るように構成してある。
【００４５】
かかる溝状体１５からなるガイド手段Ｂに案内されるプレート状体１０は、この図示例にあっては、濡れ縁Ａａ、カウンターＡｂ、物干しＡｃ’、庇Ａｃのいずれにも適応しうる形状、強度を備えるものとして用意してあり、当該開口部Ａの両側方に設置されている一対のガイド手段Ｂに沿って、上下方向に移動可能に備えられているスライダー２３に取り付けて、当該開口部Ａの屋外側で、上下方向に移動し得る形状、寸法に構成してある。
【００４６】
かかるプレート状体１０は、より具体的には、平面視で、長方形状をなすプレート状体１０としてあり、当該プレート状体１０のなすプレート状面が、上下面をなすように開口部Ａの屋外側に備えられると共に、このプレート状面が、ほぼ水平をなすように前記各ガイド手段Ｂのスライダー２３における取付腕部２４に壁Ｗに近接する側を、当該開口部Ａのなす面に平行な回動軸線で、回動可能に組み付けてある。
【００４７】
この取付腕部２４に対するプレート状体１０の組み付けは、適宜の軸部材１１、例えば、プレート状体１０の側端部に埋設したナット部材１１ａに取付腕部２４に穿設した馬鹿穴を介して軸先端部にネジの施されたボルト１１ｂを螺着することで構成することができる。
【００４８】
なお、この取付腕部２４に対する軸部材１１によるプレート状体１０の組み付けは、この取付腕部２４に組み付けられたプレート状体１０が、当該軸部材１１による回動軸線における回動に際して、当該プレート状体１０が開口部Ａ面、壁Ｗ面、ガイド手段Ｂ等に妨げられないようにしてある。
【００４９】
このように取付腕部２４に回動可能に組み付けられるプレート状体１０は、スライダー２３との間で、当該プレート状体１０の先端側を支持金物３０で支持するようにしてある。
【００５０】
このプレート状体１０を、ほぼ水平に維持する支持金物３０は、回動可能に軸部材３３で枢支されている上側バー３１と下側バー３２とで構成してあり、この上側バー３１の先端部を当該プレート状体１０の先端側の下面部に備えられている軸受け部１２に対して軸部材１３で回動可能に枢支してあり、下側バー３２の下端部の垂直バー部３５をスライダー２３に設けてある差し込みポケット状の支承凹部２５内に密に差し入れ固定し得るようにしてあると共に、プレート状体１０の荷重を受けた際に、下側バー３２に対して上側バー３１が下向きに回動されないように当該下側バー３２に受け部材３４を設けてある。
【００５１】
かかる支持金物３０を備えるプレート状体１０は、前記移動手段Ｃにおけるスライダー２３の取付腕部２４に軸部材１１で枢支され、かつ、当該支持金物３０で、水平状態に維持されて、例えば、濡れ縁Ａａ、カウンターＡｂ、物干しＡｃ’、庇Ａｃ等として用いることができると共に、この支持金物３０における垂直バー部３５を支承凹部２５から引き抜き、当該下側バー３２を上方に回動するように、上側バー３１に近接させることで、プレート状体１０の先端側を下方に向けて回動し、当該プレート状体１０の面を開口部Ａ面に近接、あるいは、平行状態にすることができる。
【００５２】
ついで、図示例に係る移動手段Ｃにおける駆動手段Ｃ’及び移動プレート状体１０の停止維持手段Ｄについて説明する。
【００５３】
この図示例に係る移動手段Ｃとして示されるチェーン２０の駆動手段Ｃ’は、テンション用の補助スプロケットホィール２１ｃ間に駆動用スプロケットホィール２２を配置し、前記移動手段Ｃとしてのチェーン２０が当該駆動用スプロケットホィール２２に確実に噛合するように構成してある。
【００５４】
この図示例に係る駆動用スプロケットホィール２２には、前記移動手段Ｃとしてのチェーン２０が、緩みなく噛合されるようにしてあり、当該駆動用スプロケットホィール２２の回動軸部２２ａに同芯状に設けた角形嵌合凹部４２に、脱着可能なハンドル２６の角形先端部２６ａを嵌め入れて、当該駆動用スプロケットホィール２２を正反転し得るようにしてある。
【００５５】
また、この図示例にあっては、当該駆動用スプロケットホィール２２にラチェットホィール状の反転防止歯４１を円周面に備える円盤状部４０を一体的に備えており、しかも、この駆動用スプロケットホィール２２の納め入れられるハウジング２７の内側に当該反転防止歯４１に掛合するクリック状の反転防止爪４３が設けてあると共に、この反転防止爪４３が、その爪４３を前記反転防止歯４１に常時、噛合する向きにねじりコイルばね等の付勢手段４４によって付勢してあり、この反転防止歯４１を反転防止爪４３が乗り越える向きに前記駆動用スプロケットホィール２２を回転することで、前記プレート状体１０を上方に向けて引き上げ得る構成としてあり、この駆動用スプロケットホィール２２の駆動回転を停止した位置で、反転防止爪４３が反転防止歯４１に噛合して、当該プレート状体１０を、その引き上げ位置に停止、維持させることができる。
【００５６】
また、かかる反転防止爪４３は、前記ハウジング２７に軸４３ａで回動可能に設けてあり、当該回動軸４３ａと同芯に備えられている角形嵌合凹部４５に、別段に用意されている操作摘み４６の角形先端部４６ａを嵌め入れて、前記付勢に抗して、反転防止歯４１に対する反転防止爪４３の掛合を解除することができるようにしてあり、当該操作摘み４６の操作によって、反転防止歯４１に対する反転防止爪４３の掛合を解除しながら前記駆動用スプロケットホィール２２をプレート状体１０を下降させる向きに回転させることができる。また、このように予定位置でプレート状体１０を下降させた際に、当該操作摘み４６を前記角形嵌合凹部４６ａから抜き出して、当該解除操作を中止することで、反転防止爪４３は前記ねじりコイルばね等の付勢手段４４の付勢によって、反転防止爪４３を反転防止歯４１に噛合させて、プレート状体１０が、付加荷重や自重等で落下しないようにしてある。
【００５７】
このように構成される開口部構造にあっては、当該開口部Ａの屋外側に、随時、随意に、濡れ縁Ａａ、カウンターＡｂ、庇Ａｃ、物干しＡｃ’等の各種の目的に対応する高さ位置にプレート状体１０を位置づけ、用いることができ、また、必要に応じて、このプレート状体１０の面を当該開口部Ａの面に平行をなすように位置づけ用いることができる。
【図面の簡単な説明】
【００５８】
【図１】典型的な開口部構造の正面図
【図２】同断面図
【図３】同要部拡大縦断面図
【図４】同他の要部部分の拡大平断面図
【図５】同要部部品の斜視図
【図６】同駆動手段の要部部品の斜視図
【符号の説明】
【００５９】
Ａ  開口部
Ｂ  ガイド手段
Ｃ  移動手段
Ｄ  維持手段
Ｗ  壁
１０  プレート状体
【図１】
2008202308.tif 000003
【図２】
2008202308.tif 000004
【図３】
2008202308.tif 000005
【図４】
2008202308.tif 000006
【図５】
2008202308.tif 000007
【図６】
2008202308.tif 000008